(57)【要約】【課題】表面処理膜の原液の液切り工程において余分な原液を確実に除去でき、均一な厚さの表面処理膜を形成することが可能な熱交換器の表面処理方法を提供する。【解決手段】熱交換器１の表面処理方法は、熱交換器１の表面に親水性塗料を塗布する塗布工程と、支軸１０３回りに揺動する振り子の先端に取り付けた熱交換器１に作用する遠心力により親水性塗料を除去し、熱交換器１への親水性塗料の付着量を調整する液切り工程と、親水性塗料を膜化させる膜化工程と、を有する。【選択図】図６
2014013130.tif 000002
【特許請求の範囲】
【請求項１】
熱交換器の表面に結露水の排水を助長する表面処理膜を形成する熱交換器の表面処理方法であって、
前記熱交換器の表面に前記表面処理膜の原液を塗布する塗布工程と、
支点回りに揺動する振り子の先端に取り付けた前記熱交換器に作用する遠心力により前記原液を除去し、前記熱交換器への前記原液の付着量を調整する液切り工程と、
前記原液を膜化させる膜化工程と、
を有することを特徴とする熱交換器の表面処理方法。
【請求項２】
前記液切り工程は、前記熱交換器を初期位置で所定時間保持した後に前記振り子による揺動を開始することを特徴とする請求項１に記載の熱交換器の表面処理方法。
【請求項３】
前記液切り工程は、前記振り子に所定の初速度を付与することを特徴とする請求項１または請求項２に記載の熱交換器の表面処理方法。
【請求項４】
前記液切り工程は、前記振り子の揺動に関して所定の往復回数を設定することを特徴とする請求項１〜請求項３のいずれか１項に記載の熱交換器の表面処理方法。
【請求項５】
前記液切り工程は、前記熱交換器を吊り下げる吊り下げ部材と前記吊り下げ部材を連結する前記熱交換器に設けた把持部とを、前記塗布工程と共用することを特徴とする請求項１〜請求項４のいずれか１項に記載の熱交換器の表面処理方法。
【請求項６】
前記熱交換器が、対向する一対の分流管を複数の伝熱管で接続し、隣り合う前記伝熱管の間にフィンを配置して接合した熱交換器であって、
前記液切り工程は、前記熱交換器の前記フィンに対する通風方向と前記振り子の揺動方向とが常時平行をなすように前記振り子が搖動することを特徴とする請求項１〜請求項５のいずれか１項に記載の熱交換器の表面処理方法。
【請求項７】
前記液切り工程は、前記振り子の初期位置及び／または停止位置において前記振り子の揺動方向と平行をなす方向に前記熱交換器に対して空気流を吹き付けることを特徴とする請求項６に記載の熱交換器の表面処理方法。
【発明の詳細な説明】
【技術分野】
【０００１】
本発明は、熱交換器の表面処理方法に関する。
【背景技術】
【０００２】
従来、例えば空気調和機の蒸発器といった熱交換器において、空気中の水蒸気が凝縮することにより熱交換器のフィンの表面に水滴が付着して所謂結露したり、その水滴が霜になり所謂着霜したりすることが懸念されている。これにより、それら水滴及び霜がフィンの表面における熱交換を阻害するとともに熱交換器のフィンの隙間が狭くなり、その隙間を通る空気の抵抗（通風抵抗）が増大する。その結果、フィンの間を通過する空気の量が減少して熱交換器の熱交換効率が低下することが問題となっていた。熱交換器に生じた霜や氷を除去するために除霜運転を実行するという対策も取られているが、除霜運転のために余計なエネルギーを消費してしまうという課題もあった。
【０００３】
そこで、熱交換器のフィンの表面に親水性の高い塗装を施すという表面処理が提案された。これにより、フィンの表面において水滴が流れ落ちる作用を高めたり、霜が付着するまでの時間を延長させたりしている。
【０００４】
ここで近年、熱交換効率の向上のためにフィンピッチを狭くするなどした複雑な構造を有する熱交換器の開発が進んでいる。例えば、対向させて配置した一対の分流管を分流管の長手方向に沿って配列した複数の伝熱管で連結し、隣り合う伝熱管の間にフィン（例えばコルゲートフィン）を配置して接合した熱交換器が知られている。また、熱交換効率の向上や省冷媒化、高リサイクル性を目指して、すべての構成部材がアルミニウム製の熱交換器も開発が進められている。このようなすべての構成部材がアルミニウム製の熱交換器の表面処理方法としては、組み立てが完了した熱交換器を表面処理膜の原液に浸漬させるディップコート法が知られている。
【０００５】
なお、一般的な熱交換器の表面処理方法としては、ロールコート法やカーテンコート法といった組み立て前に表面処理を行うプレコート法が用いられている。銅製部材とアルミニウム製部材とで構成される一般的な熱交換器は組み立てが拡管処理（非熱処理或いは局所加熱処理）で行われるので、プレコート法による表面処理が好適である。一方、すべての構成部材がアルミニウム製の熱交換器は組み立てが一括ロウ付け（加熱プロセス）で行われる。組み立て前に表面処理を行って一括ロウ付けによる加熱処理を行うと、表面処理剤が変質あるいは昇華してしまう。したがって、すべての構成部材がアルミニウム製の熱交換器の表面処理方法としては、組み立てが完了した後に表面処理を行うディップコート法などのアフターコート法が好適である。
【０００６】
ディップコート法による熱交換器の表面処理工程では、水洗後の熱交換器を表面処理膜の原液が入った容器に浸漬させる。そして、熱交換器を容器から引き上げた後、液切り処理及び膜化処理（例えば乾燥処理、焼き付け処理）を実行し、表面処理膜の厚さを規格値内に収める方法が採用されている。このような従来の熱交換器の表面処理方法が特許文献１に開示されている。
【０００７】
特許文献１に記載された従来の熱交換器の表面処理方法は遠心力を利用して液切り処理を実行する方法であって、側板が多孔板からなるバスケット状の処理用容器に熱交換器を収容して処理用容器を所定速度で回転させている。これにより、熱交換器の表面に付着する余分な表面処理膜の原液を遠心分離させ、表面処理膜の厚さの均一化、品質の安定化を図っている。
【先行技術文献】
【特許文献】
【０００８】
【特許文献１】特開平６−１０１５０号公報
【発明の概要】
【発明が解決しようとする課題】
【０００９】
ここで、一般家庭用の空気調和機に用いられる熱交換器はサイズが比較的大きく、重量も比較的重い。このような熱交換器に対して特許文献１に記載された従来の熱交換器の表面処理方法を適用すると、液切り工程において遠心分離装置の回転軸に過度の負荷がかかる虞があるとともに、非常に大型の遠心分離装置を用意する必要があるという問題があった。さらに、熱交換器の表面から余分な表面処理膜の原液を除去するための十分な遠心力を得ることが困難である可能性が高いという課題もあった。
【００１０】
本発明は、上記の点に鑑みなされたものであり、熱交換器の表面に結露水の排水を助長する表面処理膜を形成するに際し、表面処理膜の原液の液切り工程において余分な原液を確実に除去することができ、均一な厚さの表面処理膜を形成することが可能な熱交換器の表面処理方法を提供することを目的とする。
【課題を解決するための手段】
【００１１】
上記の課題を解決するため、本発明は、熱交換器の表面に結露水の排水を助長する表面処理膜を形成する熱交換器の表面処理方法であって、前記熱交換器の表面に前記表面処理膜の原液を塗布する塗布工程と、支点回りに揺動する振り子の先端に取り付けた前記熱交換器に作用する遠心力により前記原液を除去し、前記熱交換器への前記原液の付着量を調整する液切り工程と、前記原液を膜化させる膜化工程と、を有することを特徴としている。
【００１２】
この構成によれば、振り子の遠心力を利用して熱交換器の表面処理膜の余分な原液が除去される。したがって、熱交換器を支持する支点に過度の負荷がかかることが妨げられる。
【００１３】
また、上記構成の熱交換器の表面処理方法において、前記液切り工程は、前記熱交換器を初期位置で所定時間保持した後に前記振り子による揺動を開始することを特徴としている。
【００１４】
この構成によれば、振り子による揺動を開始する前に、熱交換器の表面処理膜の余分な原液が重力の作用により下方に移動して集まる。そして、振り子による揺動を開始すると、振り子の遠心力の作用により集まった余分な原液が効率良く除去される。
【００１５】
なお、ここで述べた「所定時間」は振り子による揺動を開始するタイミングに関する予め設定した任意の時間であり、例えば数秒〜５秒程度の時間として構わない。後述する実施形態ではこの「所定時間」を「３秒」と設定しているが、このような時間に限定されるわけではない。
【００１６】
また、上記構成の熱交換器の表面処理方法において、前記液切り工程は、前記振り子に所定の初速度を付与することを特徴としている。
【００１７】
この構成によれば、振り子による揺動を開始するとき、熱交換器の表面処理膜の余分な原液が勢い良く移動する。したがって、振り子の往復回数が比較的少ない場合であっても、振り子の遠心力の作用により余分な原液が容易に除去される。
【００１８】
なお、ここで述べた「所定の初速度」は振り子の移動速度に関する予め設定した任意の速度であり、例えば１〜４ｍ／ｓｅｃ程度の速度として構わない。後述する実施形態ではこの「所定の初速度」を「１ｍ／ｓｅｃ」と設定しているが、このような速度に限定されるわけではない。
【００１９】
また、上記構成の熱交換器の表面処理方法において、前記液切り工程は、前記振り子の揺動に関して所定の往復回数を設定することを特徴としている。
【００２０】
この構成によれば、例えば振り子の往復回数を比較的多めに設定することにより、熱交換器の表面処理膜の余分な原液を除去し易くなる。したがって、振り子の移動速度が比較的低速であっても、振り子の遠心力の作用により余分な原液が容易に除去される。
【００２１】
なお、ここで述べた「所定の往復回数」は振り子の揺動に関する予め設定した任意の往復回数であり、例えば３回〜１０回程度の往復回数として構わない。後述する実施形態ではこの「所定の往復回数」を「１０回」と設定しているが、このような回数に限定されるわけではない。
【００２２】
また、上記構成の熱交換器の表面処理方法において、前記液切り工程は、前記熱交換器を吊り下げる吊り下げ部材と前記吊り下げ部材を連結する前記熱交換器に設けた把持部とを、前記塗布工程と共用することを特徴としている。
【００２３】
この構成によれば、塗布工程に続いて直ちに液切り工程が実行される。したがって、熱交換器の表面処理が迅速に遂行され、吊り下げ部材に対する熱交換器の着脱の手間も省かれる。
【００２４】
また、上記構成の熱交換器の表面処理方法において、前記熱交換器が、対向する一対の分流管を複数の伝熱管で接続し、隣り合う前記伝熱管の間にフィンを配置して接合した熱交換器であって、前記液切り工程は、前記熱交換器の前記フィンに対する通風方向と前記振り子の揺動方向とが常時平行をなすように前記振り子が搖動することを特徴としている。
【００２５】
この構成によれば、振り子の搖動で発生する空気流がフィンに対する通風方向に沿って流通する。したがって、振り子の遠心力の作用により表面処理膜の余分な原液が容易に除去されるとともに、フィンの隙間に余分な原液が貯留することなく通風経路が好適に確保される。
【００２６】
また、上記構成の熱交換器の表面処理方法において、前記液切り工程は、前記振り子の初期位置及び／または停止位置において前記振り子の揺動方向と平行をなす方向に前記熱交換器に対して空気流を吹き付けることを特徴としている。
【００２７】
この構成によれば、振り子の搖動で発生する、フィンに対する通風方向に沿って流通する空気流に、吹き付けで起こる空気流が付加される。したがって、表面処理膜の余分な原液を除去する作用と、フィンに対する通風経路を確保する作用とが一層向上する。
【発明の効果】
【００２８】
本発明の構成によれば、熱交換器の表面に結露水の排水を助長する表面処理膜を形成するに際し、表面処理膜の原液の液切り工程において余分な原液を確実に除去することができ、均一な厚さの表面処理膜を形成することが可能な熱交換器の表面処理方法を提供することができる。
【図面の簡単な説明】
【００２９】
【図１】本発明の第１実施形態の熱交換器の表面処理方法を説明するための熱交換器を示す外観概略図である。
【図２】図１に示す熱交換器のII−II線における垂直断面部分拡大図である。
【図３】本発明の第１実施形態の熱交換器の表面処理方法を説明するための熱交換器の外観部分拡大図である。
【図４】本発明の第１実施形態の熱交換器の表面処理方法の手順を示すフローチャートである。
【図５】本発明の第１実施形態の熱交換器の表面処理方法における熱交換器の薬液への浸漬を示す概略説明図である。
【図６】本発明の第１実施形態の熱交換器の表面処理方法の液切り工程を示す概略説明図である。
【図７】本発明の第２実施形態の熱交換器の表面処理方法の液切り工程を示す概略説明図である。
【発明を実施するための形態】
【００３０】
以下、本発明の実施形態を図１〜図７に基づき説明する。
【００３１】
＜第１実施形態＞
最初に、本発明の第１実施形態の熱交換器の表面処理方法を説明するに先立って、当該表面処理方法が適用される熱交換器について、図１〜図３を用いてその構造の概略を説明する。図１は熱交換器の外観概略図、図２は図１に示す熱交換器のII−II線における垂直断面部分拡大図、図３は熱交換器の外観部分拡大図である。なお、以下の説明では、図１における左右方向をＸ方向とし、上下方向をＹ方向とし、紙面奥行き方向をＺ方向として説明する。図２及び図３のＸ方向、Ｙ方向及びＺ方向は図１の各方向と同じ方向を示す。
【００３２】
熱交換器１は、図１〜図３に示すように２本の分流管２と、複数の伝熱管３と、フィン４と、排水部５とを備えている。
【００３３】
分流管２、伝熱管３、フィン４及び排水部５は熱伝導性が比較的高く安価であり、加工性が良好であるなどのメリットを有している例えばアルミニウム、アルミニウム合金で形成されている。なお、これらの構成要素の材料はアルミニウムやアルミニウム合金に限定されるわけではなく、その他、金、銅などといった熱伝導性が比較的高い金属を任意に用いても良いし、要素ごとに材料を替えても良い。
【００３４】
２本、すなわち対向する一対の分流管２は互いに図１においてＹ方向に延び、Ｘ方向に所定の間隔を空けて平行に配置されている。２本の分流管２は各々配管部６を介して不図示の異なる配管に連結されている。分流管２は内部に冷媒が流通可能な流路が形成され、配管部６に連通している。
【００３５】
複数の伝熱管３は図１においてＸ方向に延び、Ｙ方向に所定の間隔を空けて平行に配列されている。各伝熱管３は図１におけるＸ方向両端が２本の分流管２各々に接続されている。伝熱管３は、図２に示すように内部に冷媒が流通可能な流路３ａが形成され、分流管２に連通している。
【００３６】
各伝熱管３は図１におけるＹ方向の厚みに対してＺ方向の幅が広い偏平な形状をなしている（図２参照）。伝熱管３は図２に示すようにＺ方向に沿った断面形状及び断面面積が等しい複数の流路３ａを有し、それら複数の流路３ａがＺ方向に配列されている。
【００３７】
フィン４は図１におけるＹ方向に隣り合う伝熱管３どうしの間に配置され、伝熱管３に接合されている。フィン４は平板を波形状（コルゲート形状）に成形した部材である。波形状をなすフィン４は図１における山の頂部が上側の伝熱管３に接触し、谷の底部が下側の伝熱管３に接触するように設けられている。フィン４は波形状をなすことにより外部空気との接触面積が広くなる。なお、熱交換器１に対する通風方向は図１及び図２におけるＺ方向（図２では実線矢印が指す方向）である。また、フィン４は波形状をなすコルゲートフィンのほか、例えばプレートフィンやルーバーフィンなど他の形状で構成されていても良い。
【００３８】
排水部５は、図２及び図３に示すように伝熱管３の通風方向の上流側及び下流側の外面に形成されている。排水部５は伝熱管３の外面から通風方向外側に向かって突出するように取り付けられた長方形状をなす複数のプレート５ａで構成されている。複数のプレート５ａは伝熱管３の冷媒流通方向に沿って配列されている。また、個々のプレート５ａは図３に示すように通風方向から見ると、伝熱管３の冷媒流通方向（Ｘ方向）に対して所定角度、例えば２１°の傾斜を設けて伝熱管３に取り付けられている。フィン４の表面で発生し、フィン４の表面を伝った結露水は排水部５に導かれて熱交換器１の外部に滴下する。
【００３９】
分流管２、伝熱管３、フィン４及び排水部５は各々ロウ付け処理により接続されている。これにより、熱交換器１の内部を流通する冷媒の漏洩を防止することができ、伝熱管３とフィン４との間の熱伝導の効率を高めることができ、フィン４から排水部５への排水の効率を高めることができる。なお、各々ロウ付け処理に代えて、溶射処理や熱拡張、溶接などの接続処理方法を用いて各構成要素を連結しても良い。
【００４０】
上記構成の熱交換器１に対して一方の配管部６から冷媒を注入すると、その配管部６に連結された分流管２の内部に冷媒が流通する。分流管２内部を流通する冷媒は続いて複数の伝熱管３各々の複数の流路３ａに分かれて流入する。伝熱管３の内部の流路３ａを流通する冷媒は伝熱管３及びフィン４を介して熱交換器１の外部の空気と熱交換を行う。例えば、熱交換器１を蒸発器として用いる場合、冷媒は外部の空気から熱を奪う。一方、熱交換器１を凝縮器として用いる場合、冷媒は外部の空気に対して熱を放出する。
【００４１】
熱交換器１は、例えば空気調和機に用いられる熱サイクルの室外側ユニットの熱交換器（蒸発器）や冷却庫の冷却装置の蒸発器として用いられる。このとき、熱交換器１の表面の温度が外部の空気の露点よりも低くなると、熱交換器１の表面に結露が発生する。熱交換器１の表面の温度がさらに低くなると、結露した水分が凍結し霜が発生（着霜）する。このような着霜が発生すると、フィン４の隙間が霜で埋まって狭くなり、空気の流れが阻害される可能性が高くなる。その結果、熱交換器１の熱交換効率が低下する虞がある。
【００４２】
このような問題を解決するため、熱交換器１、すなわち分流管２、伝熱管３、フィン４及び排水部５にはその表面で発生した結露水の排水を助長する表面処理膜が形成されている。表面処理膜としては、例えば親水性塗膜が採用される。
【００４３】
室外側ユニットに設けられた熱交換器１で熱交換を行うと、熱交換器１の表面、すなわち分流管２、伝熱管３、フィン４及び排水部５の表面に結露水が付着する。分流管２、伝熱管３、フィン４及び排水部５の表面には親水性塗膜が形成されており、付着した結露水が水膜となって流れる。親水性塗膜の上の水は接触角が小さく、膜厚が薄い。これにより、フィン４の隙間のように間隙が狭い場合でも隣り合うフィン４の表面に付着した水が接触し難く、隣り合うフィン４の間でブリッジが形成され難い。このように、熱交換器１に親水性塗膜が形成されていることで熱交換器１の表面に結露水が残留し難くなる。
【００４４】
親水性塗膜の上では付着した結露水がゆっくりであるが動き続けるので、結露水が凍結し難い。そして、フィン４の表面で発生し、フィン４の表面を伝った結露水は排水部５に導かれて熱交換器１の外部に滴下する。このように、表面に親水性塗膜が形成された熱交換器１では結露が発生するが、結露水の排水が助長されて着霜が発生し難くなっている。
【００４５】
一方、親水性塗膜に替えて撥水性塗膜を熱交換器１の表面に形成する場合もある。撥水性塗膜を形成した場合、結露水と熱交換器１の表面との接触面積が小さくなるので、結露水がわずかであっても熱交換器１の外部に放出される。これにより、フィン４の隙間のように間隙が狭い場合でもブリッジが形成され難く、結露水が残留し難い。このように、熱交換器１の表面に撥水性塗膜を形成した場合も、親水性塗膜を形成した場合と同様、結露水の排水が助長されて着霜が発生し難くなる。
【００４６】
次に、熱交換器１の表面処理方法について、図４に示す手順に沿って、図５及び図６を用いて説明する。図４は熱交換器１の表面処理方法の手順を示すフローチャートである。図５は熱交換器１の表面処理方法における熱交換器１の薬液への浸漬を示す概略説明図、図６は液切り工程を示す概略説明図である。なお、図５のＸ方向、Ｙ方向及びＺ方向は図１の各方向と同じ方向を示す。また、図６において熱交換器１が最下方に存在するとき、図６のＸ方向、Ｙ方向及びＺ方向は図１の各方向と同じ方向を示す。
【００４７】
また、図５は後述する脱脂工程、下地処理工程及び親水性塗料塗布工程における熱交換器１の薬液Ｍへの浸漬の状況を説明する図であって、容器Ｖに貯留された薬液Ｍはそれぞれの工程において異なる。熱交換器１を薬液Ｍへ浸漬するとき、図５に示すように熱交換器１を吊り下げる吊り下げ部材１０１のクランプ１０２が熱交換器１の分流管２の端部に設けた把持部７を把持する。
【００４８】
ここで、熱交換器１の表面処理に先立って、熱交換器１の組み立てが完了しているものとする。熱交換器１は分流管２、伝熱管３、フィン４及び排水部５が予め決められた形状（図１〜図３参照）に組み立てられ、各部材の接合部分がロウ付け処理等の接続方法で固定される。
【００４９】
熱交換器１の組み立てが完了すると、熱交換器１の表面処理が実行される。熱交換器１の表面処理としてはディップコート法を採用している。
【００５０】
熱交換器１の表面処理を開始すると（図４のスタート）、熱交換器１の表面の油分などを除去する脱脂工程を実行する（図４のステップ＃１０１）。脱脂工程は、図５における薬液Ｍとして強アルカリ脱脂剤が貯留された容器Ｖに組み立てが完了した熱交換器１を浸漬することによって実行される。
【００５１】
脱脂工程では熱交換器１を６０℃の温度の市販の強アルカリ脱脂剤（例えば日本パーカライジング社製脱脂剤）の２％溶液中に２分間浸漬して脱脂処理を行う。この脱脂処理により、熱交換器１の金属材料表面の油分などの汚れを除去し、後に形成する親水性塗膜を滑らかな均一な塗膜として形成することができる。
【００５２】
脱脂工程の後、洗浄工程を実行する（ステップ＃１０２）。この洗浄工程では上水または純水により熱交換器１を水洗して脱脂剤を洗い流す。
【００５３】
続いて、熱交換器１の表面に耐食性、耐錆性などを付与する下地処理工程を実行する（ステップ＃１０３）。下地処理工程は、図５における薬液Ｍとして化成処理剤溶液が貯留された容器Ｖに脱脂処理が施された熱交換器１を浸漬することによって実行される。
【００５４】
下地処理工程では熱交換器１を７０℃の温度の市販の化成処理剤溶液（例えば日本パーカライジング社製化成剤をｐＨ４に調整したもの）中に２分間浸漬することによって化成処理を実施してジルコニア酸化物皮膜による下地膜を形成する。この下地膜により熱交換器１に耐食性、耐錆性などを付与する。下地膜の形成方法はこのような酸による化成処理に限らず、エッチング、酸化、金属蒸着などの方法を用いて下地膜を形成しても良い。
【００５５】
化成処理後、洗浄工程を実行する（ステップ＃１０４）。この洗浄工程では純水により熱交換器１を水洗して化成処理剤を洗い流す。
【００５６】
続いて、熱交換器１の表面に親水性塗膜の原液である塗料を塗布する親水性塗料塗布工程を実行する（ステップ＃１０５）。親水性塗料塗布工程は、図５における薬液Ｍとして親水性塗料が貯留された容器Ｖに下地処理が施された熱交換器１を浸漬することによって実行される。
【００５７】
親水性塗料塗布工程では熱交換器１を親水性塗料（例えば関西ペイント社製ＳＸ−０１など）中に浸漬して引き上げた後、所定の膜厚になるように膜厚管理を行う。膜厚の管理は親水性塗料の塗布処理の前後における熱交換器１の重量変化量により管理する。重量管理を行う方法としては、親水性塗料の固形分濃度及び密度、熱交換器１の表面積からウェット時の塗布重量を算出し（例えばＳＸ−０１の場合、１．２ｇ／ｍ2）、その重量を初期重量から増加した重量として合算する。
【００５８】
続いて、熱交換器１の表面に塗布された親水性塗料の膜厚を調整するための液切り工程を実行する（ステップ＃１０６）。液切り工程では振り子の遠心力を利用して熱交換器１、特にフィン４及び排水部５の余分な塗料を除去し、重量測定して所望の膜厚に相当する重量になるようにする。
【００５９】
液切り工程では、図６に示すように支点である支軸１０３回りに吊り下げ部材１０１を揺動させる振り子の動きを実現可能な表面処理装置１００を用いる。そして、振り子の先端、すなわち吊り下げ部材１０１の先端に取り付けた熱交換器１に作用する遠心力により余分な塗料を除去する。図６に描画した円弧状の矢印は振り子の搖動方向（周方向）を示している。
【００６０】
ここで、熱交換器１及び振り子の諸元について一例を記載する。熱交換器１は、例えばコア長（図１のＸ方向長さ）が８６８．３ｍｍ、隣り合う伝熱管３のピッチ（間隔）が２１ｍｍ、伝熱管３の段数が２８段、フィン４のピッチが１９ｍｍ及びフィン４の幅が１８．２ｍｍである。これにより、熱交換器１は、図１におけるＸ方向長さ（幅）が８６８．３ｍｍであり、Ｙ方向長さ（高さ）が５８８ｍｍ（＝２１ｍｍ×２８段）であり、Ｚ方向長さ（厚さ）が１８．２ｍｍ（＝フィン４の幅）である。振り子の長さは、例えば０．５〜１ｍである。なお、図１は上記寸法や数量といった熱交換器１の構成を省略して描画している。
【００６１】
振り子による揺動を開始する初期位置は、例えば図６に示すように支軸１０３に対する左側略水平位置を初期位置とする。振り子の初期位置は支軸１０３に対する水平位置に限定されるわけではなく他の位置（高さ）に設定しても良い。
【００６２】
また、熱交換器１はフィン４に対する通風方向と振り子の揺動方向とが常時平行をなすように吊り下げ部材１０１の先端に取り付けられている。すなわち、熱交換器１は図６の初期位置においてフィン４に対する通風方向がＹ方向と平行をなすように吊り下げ部材１０１の先端に取り付けられている。さらに、揺動の途中において熱交換器１と吊り下げ部材１０１との相対的な姿勢は変わることなく、例えば図６に二点鎖線で描画した形態をなして揺動する。
【００６３】
ここで、液切り工程は熱交換器１を初期位置で所定時間、例えば３秒保持した後に振り子による揺動を開始することにしても良い。この３秒という保持時間は表面処理装置１００に予め設定され、適宜任意に変更することができる。
【００６４】
また、液切り工程は振り子に所定の初速度、例えば１ｍ／ｓｅｃの初速度を付与することにしても良い。さらに、液切り工程は振り子の揺動に関して所定の往復回数、例えば１０回往復させるよう設定しても良い。これら初速度１ｍ／ｓｅｃ、往復回数１０回は表面処理装置１００に予め設定され、適宜任意に変更することができる。
【００６５】
なお、振り子による揺動に関して、支軸１０３に対する熱交換器１の径方向内側部と径方向外側部とで移動速度が異なる。しかしながら、ある一定の速度以上になると、遠心力を利用した余分な塗料の除去量に変化がないことが分かっている。したがって、支軸１０３に対する熱交換器１の径方向内側部を基準として好適な移動速度を設定すれば良く、熱交換器１の径方向外側部で必要以上に塗料が除去されてしまうという弊害は発生しない。
【００６６】
続いて、熱交換器１の表面の親水性塗料を膜化させる膜化工程を実行する（ステップ＃１０７）。膜化工程では熱交換器１を１００℃の乾燥装置内で１０分間焼成させて親水性塗料を膜化させる。なお、親水性塗料としては熱硬化性、光硬化性などを有し、いずれの性質を備えた塗料を用いても構わない。膜化工程において、熱硬化性の親水性塗料を用いている場合には熱交換器１を加熱する乾燥装置を用い、光硬化性の親水性塗料を用いている場合には親水性塗料の硬化に必要な波長の光を照射する乾燥装置を用いる。
【００６７】
膜化工程が完了すると、熱交換器１の表面処理は終了となる（図４のエンド）。
【００６８】
上記のように、熱交換器１の表面に結露水の排水を助長する表面処理膜を形成する熱交換器１の表面処理方法は、表面処理膜の原液である親水性塗料を塗布する親水性塗料塗布工程と、支点である支軸１０３回りに揺動する振り子の先端に取り付けた熱交換器１に作用する遠心力により塗料を除去し、熱交換器１への塗料の付着量を調整する液切り工程と、塗料を膜化させる膜化工程と、を有する。これにより、振り子の遠心力を利用して熱交換器１の親水性塗膜の余分な塗料が除去される。したがって、熱交換器１を支持する支軸１０３に過度の負荷がかかることを防止することができる。
【００６９】
また、液切り工程は熱交換器１を初期位置で所定時間保持した後に振り子による揺動を開始する。これにより、振り子による揺動を開始する前に、熱交換器１の親水性塗膜の余分な塗料が重力の作用により下方に移動して集まる。
【００７０】
例えば、振り子による揺動を開始する初期位置を図６に示すように支軸１０３に対する水平位置とした場合、図２におけるＺ方向が図６におけるＹ方向（上下方向）に平行となる。その結果、フィン４などに付着した余分な塗料が重力の作用により下方に移動して排水部５の部分に集まる。そして、振り子による揺動を開始すると、振り子の遠心力の作用により排水部５に集まった余分な塗料を効率良く除去することができる。
【００７１】
さらに、液切り工程は振り子に所定の初速度を付与することで、振り子による揺動を開始するとき、熱交換器１の親水性塗膜の余分な塗料が勢い良く移動する。したがって、振り子の往復回数が比較的少ない場合であっても、振り子の遠心力の作用により余分な塗料を容易に除去することができる。
【００７２】
また、液切り工程は振り子の揺動に関して、例えば振り子の往復回数を比較的多めに設定することにより、熱交換器１の親水性塗膜の余分な塗料を除去し易くなる。したがって、振り子の移動速度が比較的低速であっても、振り子の遠心力の作用により余分な塗料を容易に除去することができる。
【００７３】
また、液切り工程は熱交換器１を吊り下げる吊り下げ部材１０１と吊り下げ部材１０１を連結する熱交換器１に設けた把持部７とを、塗布工程と共用している。これにより、塗布工程に続いて直ちに液切り工程が実行される。したがって、熱交換器１の表面処理を迅速に遂行することができ、吊り下げ部材１０１に対する熱交換器１の着脱の手間も省くことが可能である。
【００７４】
さらに、液切り工程は熱交換器１のフィン４に対する通風方向と振り子の揺動方向とが常時平行をなすように振り子が搖動する。これにより、振り子の搖動で発生する空気流がフィン４に対する通風方向に沿って流通する。したがって、振り子の遠心力の作用により親水性塗膜の余分な塗料を容易に除去できるとともに、フィン４の隙間に余分な塗料が貯留することなく通風経路を好適に確保することが可能である。
【００７５】
そして、本発明の上記実施形態の構成によれば、熱交換器１の表面に結露水の排水を助長する表面処理膜、すなわち親水性塗膜を形成するに際し、親水性塗料の液切り工程において余分な塗料を確実に除去することができ、均一な厚さの親水性塗膜を形成することが可能な熱交換器１の表面処理方法を提供することができる。
【００７６】
＜第２実施形態＞
次に、本発明の第２実施形態の熱交換器の表面処理方法について、図７を用いて説明する。図７は熱交換器の表面処理方法の液切り工程を示す概略説明図である。なお、この実施形態の基本的な構成は図１〜図６を用いて説明した前記第１実施形態と同じであるので、第１実施形態と共通する構成要素には前と同じ符号を付し、図面の記載及びその説明を省略するものとする。
【００７７】
第２実施形態の熱交換器１の表面処理方法は、図７に示すように液切り工程の振り子による揺動を開始する初期位置において、熱交換器１に対して空気流を吹き付ける。この空気流は図７において白抜き矢印で描画したように、吹き付け部１０４に設けたノズル１０５から熱交換器１に対して吹き付けられる。空気流は初期位置において振り子の揺動方向と平行をなす方向、すなわち下方に向かって吹き付けられる。
【００７８】
この構成によれば、振り子の搖動で発生する、フィン４に対する通風方向に沿って流通する空気流に、ノズル１０５からの吹き付けで起こる空気流が付加される。したがって、親水性塗膜の余分な塗料を除去する作用と、フィン４に対する通風経路を確保する作用とを一層向上させることができる。
【００７９】
以上、本発明の実施形態につき説明したが、本発明の範囲はこれに限定されるものではなく、発明の主旨を逸脱しない範囲で種々の変更を加えて実施することができる。
【００８０】
例えば、上記実施形態では熱交換器１の表面に表面処理膜として親水性塗膜を形成することを例に掲げて説明したが、親水性塗膜に替えてに撥水性塗膜を形成するようにしても良い。
【００８１】
また、第２実施形態では振り子の初期位置において熱交換器１に対して空気流を吹き付けることとしたが、支軸１０３を通る垂線を隔てた初期位置の反対側の、振り子の停止位置で熱交換器１に対して空気流を吹き付けても良い。停止位置においても、空気流は振り子の揺動方向と平行をなす方向、すなわち略下方に向かって吹き付けられる。さらに、振り子の初期位置及び停止位置の双方で熱交換器１に対して空気流を吹き付けても良い。
【産業上の利用可能性】
【００８２】
本発明は、熱交換器の表面処理方法において利用可能である。
【符号の説明】
【００８３】
１    熱交換器
２    分流管
３    伝熱管
４    フィン
５    排水部
７    把持部
１０１    吊り下げ部材
１０２    クランプ
１０３    支軸（支点）
１０５    ノズル
【図１】
2014013130.tif 000003
【図２】
2014013130.tif 000004
【図３】
2014013130.tif 000005
【図４】
2014013130.tif 000006
【図５】
2014013130.tif 000007
【図６】
2014013130.tif 000008
【図７】
2014013130.tif 000009